(57)【要約】【課題】可動枠が固定枠に開閉不能に支持された状態においても、画像表示ユニットが可動枠の後部に設けられるレールに対し遊技機枠の側方で抜き差しできるようにする。【解決手段】ａ図に示すように可動枠３が固定枠２に開閉不能に支持された場合はレール９；１０が固定枠２よりも後方に配置され、ｂ図に示すように可動枠３が固定枠２よりも前方に開かれた場合はレール９；１０が固定枠２よりも前方に配置されるので、可動枠３が固定枠２から前方に開かれた場合でも固定枠２に開閉不能に支持された場合でも、画像表示ユニット１１が可動枠３の後部に設けられるレール９；１０に対し遊技機枠１の側方で抜き差しでき、画像表示ユニット１１に例えば２０インチなどの大形で重い液晶表示器などを用いた場合であっても、下側のレール１０が画像表示ユニット１１の重量を負担するので、作業者の負担を軽減できる。【選択図】図１
2009060958.tif 000002
【特許請求の範囲】
【請求項１】
遊技機枠と画像表示ユニットとを備え、遊技機枠は固定枠と可動枠とを備え、可動枠が左側部に位置するヒンジを中心として固定枠の前部において前方に開かれかつ後方に閉じられるように片開き可能な構造であり、可動枠には前方に開口し前後方向に奥行の有る箱形に構成された盤収容室が設けられ、盤収容室の後壁には画像表示ユニットの表示画面と対応する透視開口部と画像表示ユニットを左右方向に移動可能でかつ前後方向に移動不能となるように摺接係合させる上下に相対峙するレールとが設けられ、可動枠が固定枠に開閉不能に支持された場合、レールが固定枠よりも後方に配置されることを特徴とするパチンコ遊技機の画像表示装置。
【発明の詳細な説明】
【技術分野】
【０００１】
本発明は、可動枠が固定枠に開閉不能に支持された状態においても、画像表示ユニットが可動枠の後部に設けられるレールに対し遊技機枠の側方で抜き差しできるパチンコ遊技機の画像表示装置に関する。
【背景技術】
【０００２】
図５は、特許文献１で開示されたパチンコ遊技機の画像表示装置を示す。図５において、可動枠５１が固定枠５２よりも前方に片開きされ、払出ユニット５３が可動枠５１よりも後側に片開きされた状態において、可動枠５１の後部に設けられる画像表示ユニット５４が可動枠５１の上方で抜き差しできる一方、払出ユニット５３が可動枠５１に開閉不能に支持された場合、払出ユニット５３におけるタンク５５が可動枠５１の後部に設けられた画像表示ユニット５４の抜き差しを阻止する構造になっている。しかしながら、可動枠５１が固定枠５２に開閉不能に支持された状態において、画像表示ユニット５４が可動枠５１から取り外せないという欠点がある。
【特許文献１】特開２００５−１３１３２８号公報
【発明の開示】
【発明が解決しようとする課題】
【０００３】
発明が解決しようとする問題点は、可動枠が固定枠に開閉不能に支持された状態において、画像表示ユニットが可動枠から取り外せないという点である。
【課題を解決するための手段】
【０００４】
本発明に係るパチンコ遊技機の画像表示装置は、遊技機枠と画像表示ユニットとを備え、遊技機枠は固定枠と可動枠とを備え、可動枠が左側部に位置するヒンジを中心として固定枠の前部において前方に開かれかつ後方に閉じられるように片開き可能な構造であり、可動枠には前方に開口し前後方向に奥行の有る箱形に構成された盤収容室が設けられ、盤収容室の後壁には画像表示ユニットの表示画面と対応する透視開口部と画像表示ユニットを左右方向に移動可能でかつ前後方向に移動不能となるように摺接係合させる上下に相対峙するレールとが設けられ、可動枠が固定枠に開閉不能に支持された場合、レールが固定枠よりも後方に配置されることを最も主要な特徴とする。
【発明の効果】
【０００５】
本発明に係るパチンコ遊技機の画像表示装置は、可動枠が固定枠に開閉不能に支持された場合、レールが固定枠よりも後方に配置され、可動枠が固定枠よりも前方に開かれた場合、レールが固定枠よりも前方に配置されるので、可動枠が固定枠から前方に開かれた場合でも固定枠に開閉不能に支持された場合でも、画像表示ユニットが可動枠の後部に設けられるレールに対し遊技機枠の側方で抜き差しできるという利点がある。
【発明を実施するための最良の形態】
【０００６】
図１のａ図は、可動枠３が固定枠２に開閉不能に支持されたパチンコ遊技機の画像表示装置の右側面を示す。図１のｂ図は、可動枠３が固定枠２から前方に開かれたパチンコ遊技機の画像表示装置の右側面を示す。図２は、パチンコ遊技機の画像表示装置を分解して示す。図３は、画像表示ユニット１１を示す。本明細書において、「前」、「後」、「左」、「右」、「上」、「下」の方向は、図２の状態に遊技機枠１を置いて矢印Ｓで示す前方から見た場合に特定される方向である。
【０００７】
図２を参照し、パチンコ遊技機の画像表示装置について説明する。パチンコ遊技機の画像表示装置は、遊技機枠１と画像表示ユニット１１とを備える。遊技機枠１は、固定枠２の前部に可動枠３を開閉可能に備える。固定枠２は、遊技機設置設備に固定される外枠とも呼ばれる。遊技機設置設備は、パチンコ遊技機を設置する遊技店の島と呼ばれる設備である。可動枠３は、左側部に位置するヒンジ４を中心とし、固定枠２の前部において前方に開かれかつ後方に閉じられるように片開き可能な前枠とも呼ばれる。
【０００８】
可動枠３は、盤収容室５を備える。盤収容室５は、前方に開口し、前後方向に奥行の有る箱形に構成される。可動枠３の後部には、タンク６および払出機構７が盤収容室５の上部に配置されるように取り付けられる。盤収容室５の後壁には、透視開口部８とレール９；１０が設けられる。透視開口部８は、画像表示ユニット１１における方形な表示画面と対応する方形な前後方向への貫通孔である。レール９；１０は、上下に相対峙し、盤収容室５の後部に固定され、画像表示ユニット１１を左右方向に移動可能でかつ前後方向に移動不能となるように摺接係合させる構造である。画像表示ユニット１１については、図３で詳述する。
【０００９】
図１を参照し、パチンコ遊技機を右から見た場合について説明する。図１のａ図およびｂ図において、可動枠３の前部には、上扉１２および下扉１３が図外の左側部に位置するヒンジを中心とし、前方に開かれかつ後方に閉じられるように開閉可能に設けられる。上扉１２は、パネル枠とも呼ばれ、窓１４および前パネル１５を備える。窓１４は、上扉１２に前後方向への貫通孔として設けられる。前パネル１５は、無色の合成樹脂または無色のガラスなど、光を透過する性質の有る材料から構成され、窓１４を塞ぐように、上扉１２に取り付けられる。下扉１３の前部には、受皿１６や発射操作機構１７が設けられる。上扉１２が可動枠３から前方に開かれた状態において、遊技盤１８が可動枠３の前方から盤収容室５に交換可能に装着される。
【００１０】
図１のａ図に示すように、可動枠３が固定枠２に開閉不能に支持された場合、レール９；１０が固定枠２よりも後方に配置される。よって、可動枠３が固定枠２に開閉不能に支持された状態において、可動枠３の後部に設けられる画像表示ユニット１１が遊技機枠１の側方で抜き差しできる。図１のｂ図に示すように、レール９；１０が固定枠２よりも前方に配置されるように、可動枠３が固定枠２に対して開かれた場合、可動枠３の後部に設けられる画像表示ユニット１１が遊技機枠１の側方で抜き差しできる。換言するならば、可動枠３が固定枠２から前方に開かれた場合でも固定枠２に開閉不能に支持された場合でも、画像表示ユニット１１が可動枠３の後部に設けられるレール９；１０に対し遊技機枠１の側方で抜き差しできるという利点がある。
【００１１】
画像表示ユニット１１が遊技機枠１の側方で可動枠３の後部のレール９；１０に抜き差し可能に嵌め込めるので、画像表示ユニット１１が例えば２０インチなどの大形で重い液晶表示器などの画像表示器２１（図３参照）を用いた場合であっても、画像表示ユニット１１がレール９；１０に嵌め込まれれば、下側のレール１０が画像表示ユニット１１の重量を負担するので、作業者が大形で重い画像表示ユニット１１を画像可動枠３の後部に装着する場合であっても、作業者の負担を軽減できるという利点がある。
【００１２】
よって、パチンコ遊技機を製造する場合、レール９；１０と上扉１２および下扉１３などの取り付けられた可動枠３が固定枠２に開閉不能に支持された状態において、画像表示ユニット１１が遊技機枠１の側方からレール９；１０に抜き差し可能に嵌め込まれる。このため、画像表示ユニット１１が可動枠３の後部から取り外された状態において、可動枠３が固定枠２に開閉不能に支持された状態となるように、固定枠２と可動枠３とが遊技機枠１として組立機で組み立てられることによって、当該組立機における衝撃が画像表示ユニット１１に悪影響を及ぼすことがない。そして、図１のａ図に示すように、遊技機枠１の組立後に、可動枠３を開かなくても、可動枠３の後部に設けられたレール９；１０が固定枠２よりも後方に突出しているので、画像表示ユニット１１が遊技機枠１の側方でレール９；１０に抜き差し可能に嵌め込めるという利点がある。
【００１３】
図３を参照し、画像表示ユニット１１について説明する。画像表示ユニット１１は、画像表示器２１が表示容器２２に収容され、画像表示器２１の表示画面が画像表示ユニット１１の表示画面を構成しかつ表示容器２２の前方から見える構造である。画像表示器２１は、液晶表示器などの面状表示器により構成される。表示容器２２は合成樹脂から構成される。表示容器２２の上縁部および下縁部は、滑動部２３；２４として構成される。表示容器２２の後壁には、制御取付部２５；２６が設けられる。
【００１４】
制御取付部２５は、制御装置３４に対応する部分である。制御取付部２５には、拘束部２７、鉤部２８、案内孔２９が設けられる。拘束部２７は、表示容器２２の後壁から斜め後方に突出した弾性片として構成される。鉤部２８は、表示容器２２の後壁から後方に突出する。案内孔２９は、鉤部２８の後壁に前後方向への貫通孔として、複数形成される。案内孔２９の個数は、制御装置３４の鉤部３７と同数である。
【００１５】
制御取付部２６は、制御装置４１に対応する部分である。制御取付部２６には、拘束部３０、鉤部３１、案内孔３２が設けられる。拘束部３０は、鉤部３１の後壁から斜め後方に突出した弾性片として構成される。鉤部３１は、表示容器２２の後壁から後方に突出する。案内孔３２は、鉤部３１の後壁に前後方向への貫通孔として複数形成される。案内孔３２の個数は、制御装置４１の鉤部４４と同数である。
【００１６】
制御装置３４は、主制御装置からの出力によって音や光および画像による演出を統括する処理を実行する統括制御装置を構成し、合成樹脂からなる制御容器３５に電気部品の実装された回路基板３６を内蔵した構造である。制御装置３４の前部には、鉤部３７が複数設けられる。鉤部３７は、制御容器３５の前壁から前方に突出する縦片と、縦片から左方に制御容器３５の前壁との間に隙間を形成するように突出した横片とから構成される。制御容器３５の一部には、回路基板３６に実装されたコネクタ３８が露出する。
【００１７】
制御装置３４の画像表示ユニット１１への着脱の仕方について説明する。この着脱は機械で行うことも可能であるが、手作業で行う場合を例として説明する。制御装置３４が画像表示ユニット１１に取り付けられる場合、作業者が制御装置３４を手で持ち、制御装置３４の前部が画像表示ユニット１１の制御取付部２５に向き合わせられる。そして、制御装置３４が後から前方に移動されることによって、制御装置３４が拘束部２７を前方に押して弾性変形させ、鉤部３７が案内孔２９に挿入される。その後、制御装置３４が右から左方向に移動されることによって、画像表示ユニット１１の鉤部２８と制御装置３４の鉤部３７とが互いに前後方向に抜けないように嵌め合わされる。
【００１８】
そして、制御装置３４の右側部が拘束部２７を左方に越えると、拘束部２７が後方に弾性的に突出して制御装置３４の右側部に係合して制御装置３４の取外方向への移動を阻止し、制御装置３４が図２に示すように画像表示ユニット１１の後部に取り付けられる。制御装置３４が画像表示ユニット１１から取り外される場合、作業者が拘束部２７を手で前側に押して拘束部２７と制御装置３４の右側部との係合を解除したまま制御装置３４を手で持って左から右方向に移動すると、鉤部２８と鉤部３７との嵌合が解除される。その後、制御装置３４が前から後方に移動されると、鉤部３７が案内孔２９から制御取付部２５の後方に引き抜かれて画像表示ユニット１１の後部から取り外される。
【００１９】
制御装置４１は、遊技処理の全般を実行する主制御装置を構成し、合成樹脂からなる制御容器４２に電気部品の実装された回路基板４３を内蔵した構造である。制御装置４１の前部には、鉤部４４が複数設けられる。鉤部４４は、制御容器４２の前壁から前方に突出する縦片と、縦片から左方に制御容器４２の前壁との間に隙間を形成するように突出した横片とから構成される。制御容器４２の一部には、回路基板４３に実装されたコネクタ４５が露出する。
【００２０】
制御装置４１の画像表示ユニット１１への着脱の仕方について説明する。この着脱は機械で行うことも可能であるが、手作業で行う場合を例として説明する。制御装置４１が画像表示ユニット１１に取り付けられる場合、作業者が制御装置４１を手で持ち、制御装置４１の前部が画像表示ユニット１１の制御取付部２６に向き合わせられる。そして、制御装置４１が後から前方に移動されることによって、制御装置４１が拘束部３０を前方に押して弾性変形させ、鉤部４４が案内孔３２に挿入される。その後、制御装置４１が右から左方向に移動されることによって、画像表示ユニット１１の鉤部３１と制御装置４１の鉤部４４とが互いに前後方向に抜けないように嵌め合わされる。
【００２１】
そして、制御装置４１の右側部が拘束部３０を左方に越えると、拘束部３０が後方に弾性的に突出して制御装置４１の右側部に係合して制御装置４１の取外方向への移動を阻止し、制御装置４１が図２に示すように画像表示ユニット１１の後部に取り付けられる。制御装置４１が画像表示ユニット１１から取り外される場合、作業者が拘束部３０を手で前側に押して拘束部３０と制御装置４１の右側部との係合を解除したまま制御装置４１を手で持って左から右方向に移動すると、鉤部３１と鉤部４４との嵌合が解除される。その後、制御装置４１が前から後方に移動されると、鉤部４４が案内孔３２から制御取付部２６の後方に引き抜かれて画像表示ユニット１１の後部から取り外される。
【産業上の利用可能性】
【００２２】
図１において、制御装置３４；４１のいずれか一方だけが画像表示ユニット１１の後部に取り付けられる構造でも、制御装置３４；４１が画像表示ユニット１１の後部に設けられていない構造でもよい。制御装置３４；４１が画像表示ユニット１１の後部にない場合、図３の表示容器２２が除去され、図３の画像表示器２１が図１のレール９；１０に嵌め込まれて固定枠２の後部に取り付けられてもよい。このように図３の画像表示器２１が固定枠２の後部に取り付けられた場合、図３の画像表示器２１が図１の画像表示ユニット１１に相当する。上扉１２および下扉１３が１体の前扉として構成されてもよい。
【００２３】
図４は、発明を実施するための異なる形態に係る可動枠３が固定枠２に開閉不能に支持されたパチンコ遊技機の画像表示装置の右側面を示す。図４では、固定枠２の右側壁には除去部４６が設けられ、可動枠３が固定枠２に開閉不能に支持された場合において、レール９；１０が除去部４６に露出し、画像表示ユニット１１が遊技機枠１の側方で抜き差しできるようになっている。
【図面の簡単な説明】
【００２４】
【図１】ａ図は可動枠が固定枠に開閉不能に支持されたパチンコ遊技機の画像表示装置の右側面図、ｂ図は可動枠が固定枠から前方に開かれたパチンコ遊技機の画像表示装置の右側面図（最良の形態）。
【図２】パチンコ遊技機の画像表示装置の分解斜視図（最良の形態）。
【図３】画像表示ユニットおよび制御装置の分解斜視図（最良の形態）。
【図４】可動枠が固定枠に開閉不能に支持されたパチンコ遊技機の画像表示装置の右側面図（異なる形態）。
【図５】パチンコ遊技機の画像表示装置の斜視図（従来）。
【符号の説明】
【００２５】
１は遊技機枠、２は固定枠、３は可動枠、４はヒンジ、５は盤収容室、６はタンク、７は払出機構、８は透視開口部、９はレール、１０はレール、１１は画像表示ユニット、１２は上扉、１３は下扉、１４は窓、１５は前パネル、１６は受皿、１７は発射操作機構、１８は遊技盤、１９；２０は欠番、２１は画像表示器、２２は表示容器、２３は滑動部、２４は滑動部、２５は制御取付部、２６は制御取付部、２７は拘束部、２８は鉤部、２９は案内孔、３０は拘束部、３１は鉤部、３２は案内孔、３３は欠番、３４は制御装置、３５は制御容器、３６は回路基板、３７は鉤部、３８はコネクタ、３９；４０は欠番、４１は制御装置、４２は制御容器、４３は回路基板、４４は鉤部、４５はコネクタ、４６は除去部、４７乃至５０は欠番、５１は可動枠、５２は固定枠、５３は払出ユニット、５４は画像表示ユニット、５５はタンク。
【図１】
2009060958.tif 000003
【図２】
2009060958.tif 000004
【図３】
2009060958.tif 000005
【図４】
2009060958.tif 000006
【図５】
2009060958.tif 000007